(57)【要約】【課題】映像を高解像度化して表示する際に、ユーザが注目する領域の画質を損なうことなく、消費電力を低減する。【解決手段】表示装置１は、画像データの解像度を画素値のフレーム内複写処理により変換するＮ倍スケーラ７と、画像データの解像度を画素値のフレーム内補間処理またはフレーム間補間処理により変換する高解像度処理回路８とを備え、画像データの所定領域に対して高解像度処理回路８により解像度変換を行い、所定領域以外の領域に対してＮ倍スケーラ７により解像度変換を行う。【選択図】図１
2014077993.tif 000002
【特許請求の範囲】
【請求項１】
画像データの解像度を変換する第１の解像度処理回路と、該第１の解像度処理回路とは解像度変換方法が異なり且つ該第１の解像度処理回路よりも解像度変換に係る処理負荷の大きい第２の解像度処理回路とを備え、
前記画像データの所定領域に対して前記第２の解像度処理回路により解像度変換を行い、前記所定領域以外の領域に対して前記第１の解像度処理回路により解像度変換を行うことを特徴とする表示装置。
【請求項２】
請求項１に記載の表示装置において、画像データを表示する表示パネルと、該表示パネルとユーザとの距離に応じて前記画像データから前記所定領域を抽出する領域抽出部とを備えたことを特徴とする表示装置。
【請求項３】
請求項２に記載の表示装置において、前記領域抽出部は、前記表示パネルとユーザとの距離が第１の所定値以上の場合、前記所定領域を抽出せず、前記第１の解像度処理回路は、前記画像データの全領域に対して解像度変換を行うことを特徴とする表示装置。
【請求項４】
請求項３に記載の表示装置において、前記領域抽出部は、前記表示パネルとユーザとの距離が前記第１の所定値未満で且つ第２の所定値以上の場合、前記所定領域として、前記画像データの中央領域を抽出し、前記第２の解像度処理回路は、前記抽出した中央領域に対して解像度変換を行い、前記第１の解像度処理回路は、前記中央領域以外の領域に対して解像度変換を行うことを特徴とする表示装置。
【請求項５】
請求項４に記載の表示装置において、前記領域抽出部は、前記表示パネルとユーザとの距離が前記第２の所定値未満の場合、前記所定領域として、前記画像データ上でユーザが注目する注目領域を抽出し、前記第２の解像度処理回路は、前記抽出した注目領域に対して解像度変換を行い、前記第１の解像度処理回路は、前記注目領域以外の領域に対して解像度変換を行うことを特徴とする表示装置。
【請求項６】
請求項５に記載の表示装置において、前記領域抽出部は、前記第１の所定値未満で且つ前記第２の所定値以上の範囲にいるユーザを検出するための遠距離センサと、前記第２の所定値未満の範囲にいるユーザを検出するための近距離センサとを備えたことを特徴とする表示装置。
【請求項７】
請求項６に記載の表示装置において、前記領域抽出部は、さらに、ユーザを撮影するカメラを備え、前記近距離センサでユーザを検出した場合、前記カメラで撮影した撮影データからユーザの顔の位置を特定し、該特定したユーザの顔の位置に基づいて、前記画像データ上でユーザが注目する注目領域を抽出することを特徴とする表示装置。
【請求項８】
請求項１に記載の表示装置において、画像データを表示する表示パネルと、該表示パネルとユーザとの距離に応じて複数の解像度変換モードを切り替える解像度変換モード切替部とを備え、
前記複数の解像度変換モードは、前記画像データの全領域に対して前記第１の解像度処理回路により解像度変換を行う第１の解像度変換モードと、前記画像データの前記所定領域に対して前記第２の解像度処理回路により解像度変換を行うと共に、前記所定領域以外の領域に対して前記第１の解像度処理回路により解像度変換を行う第２の解像度変換モードと、前記画像データの全領域に対して前記第２の解像度処理回路により解像度変換を行う第３の解像度変換モードとを含むことを特徴とする表示装置。
【請求項９】
請求項８に記載の表示装置において、前記解像度変換モード切替部は、前記表示パネルとユーザとの距離が第１の所定値以上の場合、前記第１の解像度変換モードに切り替えることを特徴とする表示装置。
【請求項１０】
請求項９に記載の表示装置において、前記解像度変換モード切替部は、前記表示パネルとユーザとの距離が前記第１の所定値未満で且つ第２の所定値以上の場合、前記第２の解像度変換モードに切り替えることを特徴とする表示装置。
【請求項１１】
請求項１０に記載の表示装置において、前記解像度変換モード切替部は、前記表示パネルとユーザとの距離が前記第２の所定値未満の場合、前記第３の解像度変換モードに切り替えることを特徴とする表示装置。
【請求項１２】
請求項１１に記載の表示装置において、前記解像度変換モード切替部は、前記第１の所定値未満で且つ前記第２の所定値以上の範囲にいるユーザを検出するための遠距離センサと、前記第２の所定値未満の範囲にいるユーザを検出するための近距離センサとを備えたことを特徴とする表示装置。
【請求項１３】
請求項１に記載の表示装置において、画像データのコンテンツの内容に応じて該画像データから前記所定領域を抽出するコンテンツ連動領域抽出部を備えたことを特徴とする表示装置。
【請求項１４】
請求項１〜１３のいずれか１項に記載の表示装置において、前記第１の解像度処理回路は、前記画像データの解像度を画素値のフレーム内複写処理により解像度変換するＮ（Ｎ≧２）倍スケーラであり、前記第２の解像度処理回路は、前記画像データの解像度を画素値のフレーム内補間処理またはフレーム間補間処理により解像度変換する高解像度処理回路であることを特徴とする表示装置。
【発明の詳細な説明】
【技術分野】
【０００１】
本発明は、表示装置に関し、より詳細には、４ｋ２ｋなどの高解像度表示を可能とする表示装置に関する。
【背景技術】
【０００２】
近年、フルハイビジョン映像（１９２０画素×１０８０画素）よりも解像度の高い、４ｋ２ｋ（３８４０画素×２１６０画素）や８ｋ４ｋ（７６８０画素×４３２０画素）などの高解像度映像の表示を可能とする液晶パネルの開発が進んでいる。そして、このような高解像度液晶パネルを用いたテレビの開発も進んでいるが、この高解像度を活かしたコンテンツを提供する環境はまだ整備されていないのが実情である。このため、テレビ内にアップコンバータを搭載することにより、通常のテレビ映像の解像度を変換してより高精細化を図ることが行なわれている。
【０００３】
例えば、特許文献１には、高い処理能力を持つ描画処理手段を使用せずに、解像度を上げて動画を表示するテレビ受信機が記載されている。このテレビ受信機は、ディスプレイ装置の表示解像度よりも低い描画解像度に設定された描画プレーンに動画を描画し、ディスプレイ装置の表示解像度と同程度の描画解像度に設定された描画プレーンに静止画を描画する描画処理手段と、描画プレーンに描画された動画を、ディスプレイ装置の表示解像度に応じて解像度変換する解像度変換手段とを備えている。
【０００４】
図１７は、従来の液晶テレビ装置の構成を示すブロック図で、図中、２００は液晶テレビ装置を示す。液晶テレビ装置２００は、アンテナ２０１を介してデジタル放送信号を受信するデジタルチューナ２０２と、外部記録媒体Ｒ（ＨＤＤ，ＢＤ，ＤＶＤなど）に記録されているコンテンツをＨＤＭＩ（High Definition Multimedia Interface：登録商標）を介して入力するＨＤＭＩ入力処理回路２０３と、デジタルチューナ２０２あるいはＨＤＭＩ入力処理回路２０３からの出力信号を表示可能な映像信号に変換する映像信号処理回路２０４と、圧縮信号の伸張や映像のオーバーレイ処理等に用いられる第１のフレームメモリ２０５と、液晶パネル２０７のソースドライバ２０７ａ及びゲートドライバ２０７ｂを制御する液晶コントローラ２０６と、液晶コントローラ２０６により制御されるソースドライバ２０７ａ及びゲートドライバ２０７ｂの動作に従って映像信号を表示する液晶パネル２０７とを備える。
【０００５】
上記において、第１のフレームメモリ２０５は、表示解像度に応じたメモリ容量が必要とされる。そして、４ｋ２ｋなどの更なる高解像度化を実現するためには、上記の映像信号処理回路２０４とは別に高解像度処理回路が必要となる。高解像度処理回路では、例えば、公知のキュービックコンボリューション補間法（３次元畳み込み補間法とも呼ばれる）などのフレーム内補間または複数フレームを用いた所謂「超解像度処理」と呼ばれるフレーム間補間などの方法を用いて画素の補間が行われる。このような高解像度処理回路を備えた高解像度対応液晶テレビ装置の構成を図１８に示す。
【０００６】
図１８は、従来の高解像度対応液晶テレビ装置の構成を示すブロック図で、図中、２００′は高解像度対応液晶テレビ装置を示す。この高解像度対応液晶テレビ装置２００′では、図１７の装置構成に加えて、高解像度処理回路２０８及び第２のフレームメモリ２０９が追加されている。また、液晶コントローラ２０６′、高解像度液晶パネル２０７′、ソースドライバ２０７ａ′、及びゲートドライバ２０７ｂ′は、４ｋ２ｋなどの高解像度対応の構成となっている。ここでは、映像信号処理回路２０４の後段に高解像度処理回路２０８を配置しているが、この高解像度処理回路２０８を映像信号処理回路２０４と一体的に構成してもよい。また、高解像度処理回路２０８での処理のために第２のフレームメモリ２０９が設けられている。
【０００７】
高解像度処理回路２０８では、例えば、前段の映像信号処理回路２０４で生成したフルハイビジョン映像（１９２０画素×１０８０画素）を、４倍の解像度の４ｋ２ｋ映像（３８４０画素×２１６０画素）に変換する。その際、例えば、時間軸方向を考慮して３次元的に映像補間処理を行うため、高解像度処理回路２０８で必要となる第２のフレームメモリ２０９のメモリ容量はフルハイビジョン映像の場合の４倍となる。
【先行技術文献】
【特許文献】
【０００８】
【特許文献１】特開２００７−５７５８６号公報
【発明の概要】
【発明が解決しようとする課題】
【０００９】
上記において、第２のフレームメモリ２０９に蓄積されたデータを処理する時間は、フルハイビジョン映像における通常のフレームレートの場合と同じであるため、処理時間を短縮するためには、アクセススピードの高速化を図るか、あるいは、バス幅の増加が必要となる。すなわち、高解像度処理回路２０８では画素間の補間データの生成に多くの演算処理を必要とし、さらに、多くのメモリ容量を必要とするため、消費電力の増加を引き起こす要因となっていた。
【００１０】
ここで、液晶テレビ装置の画面サイズが大型化したことにより、ユーザ（視聴者）は迫力ある映像を体験することができるが、通常視聴時では、ユーザは画面全体に注目して視聴しているわけではない。このため、高解像度処理回路による高解像度処理をユーザが注目する注目領域にのみ部分的に行うことで、処理負荷を軽減し、消費電力の低減を図ることができると考えられる。なお、特許文献１に記載の技術は、画面全体に高解像度処理を施すことが前提となっており、特許文献１は、このような考え方を開示するものではない。
【００１１】
本発明は、上述のような実情に鑑みてなされたもので、映像を高解像度化して表示する際に、ユーザが注目する領域の画質を損なうことなく、消費電力を低減できる表示装置を提供することを目的とする。
【課題を解決するための手段】
【００１２】
上記課題を解決するために、本発明の第１の技術手段は、画像データの解像度を変換する第１の解像度処理回路と、該第１の解像度処理回路とは解像度変換方法が異なり且つ該第１の解像度処理回路よりも解像度変換に係る処理負荷の大きい第２の解像度処理回路とを備え、前記画像データの所定領域に対して前記第２の解像度処理回路により解像度変換を行い、前記所定領域以外の領域に対して前記第１の解像度処理回路により解像度変換を行うことを特徴としたものである。
【００１３】
第２の技術手段は、第１の技術手段において、画像データを表示する表示パネルと、該表示パネルとユーザとの距離に応じて前記画像データから前記所定領域を抽出する領域抽出部とを備えたことを特徴としたものである。
【００１４】
第３の技術手段は、第２の技術手段において、前記領域抽出部は、前記表示パネルとユーザとの距離が第１の所定値以上の場合、前記所定領域を抽出せず、前記第１の解像度処理回路は、前記画像データの全領域に対して解像度変換を行うことを特徴としたものである。
【００１５】
第４の技術手段は、第３の技術手段において、前記領域抽出部は、前記表示パネルとユーザとの距離が前記第１の所定値未満で且つ第２の所定値以上の場合、前記所定領域として、前記画像データの中央領域を抽出し、前記第２の解像度処理回路は、前記抽出した中央領域に対して解像度変換を行い、前記第１の解像度処理回路は、前記中央領域以外の領域に対して解像度変換を行うことを特徴としたものである。
【００１６】
第５の技術手段は、第４の技術手段において、前記領域抽出部は、前記表示パネルとユーザとの距離が前記第２の所定値未満の場合、前記所定領域として、前記画像データ上でユーザが注目する注目領域を抽出し、前記第２の解像度処理回路は、前記抽出した注目領域に対して解像度変換を行い、前記第１の解像度処理回路は、前記注目領域以外の領域に対して解像度変換を行うことを特徴としたものである。
【００１７】
第６の技術手段は、第５の技術手段において、前記領域抽出部は、前記第１の所定値未満で且つ前記第２の所定値以上の範囲にいるユーザを検出するための遠距離センサと、前記第２の所定値未満の範囲にいるユーザを検出するための近距離センサとを備えたことを特徴としたものである。
【００１８】
第７の技術手段は、第６の技術手段において、前記領域抽出部は、さらに、ユーザを撮影するカメラを備え、前記近距離センサでユーザを検出した場合、前記カメラで撮影した撮影データからユーザの顔の位置を特定し、該特定したユーザの顔の位置に基づいて、前記画像データ上でユーザが注目する注目領域を抽出することを特徴としたものである。
【００１９】
第８の技術手段は、第１の技術手段において、画像データを表示する表示パネルと、該表示パネルとユーザとの距離に応じて複数の解像度変換モードを切り替える解像度変換モード切替部とを備え、前記複数の解像度変換モードは、前記画像データの全領域に対して前記第１の解像度処理回路により解像度変換を行う第１の解像度変換モードと、前記画像データの前記所定領域に対して前記第２の解像度処理回路により解像度変換を行うと共に、前記所定領域以外の領域に対して前記第１の解像度処理回路により解像度変換を行う第２の解像度変換モードと、前記画像データの全領域に対して前記第２の解像度処理回路により解像度変換を行う第３の解像度変換モードとを含むことを特徴としたものである。
【００２０】
第９の技術手段は、第８の技術手段において、前記解像度変換モード切替部は、前記表示パネルとユーザとの距離が第１の所定値以上の場合、前記第１の解像度変換モードに切り替えることを特徴としたものである。
【００２１】
第１０の技術手段は、第９の技術手段において、前記解像度変換モード切替部は、前記表示パネルとユーザとの距離が前記第１の所定値未満で且つ第２の所定値以上の場合、前記第２の解像度変換モードに切り替えることを特徴としたものである。
【００２２】
第１１の技術手段は、第１０の技術手段において、前記解像度変換モード切替部は、前記表示パネルとユーザとの距離が前記第２の所定値未満の場合、前記第３の解像度変換モードに切り替えることを特徴としたものである。
【００２３】
第１２の技術手段は、第１１の技術手段において、前記解像度変換モード切替部は、前記第１の所定値未満で且つ前記第２の所定値以上の範囲にいるユーザを検出するための遠距離センサと、前記第２の所定値未満の範囲にいるユーザを検出するための近距離センサとを備えたことを特徴としたものである。
【００２４】
第１３の技術手段は、第１の技術手段において、画像データのコンテンツに応じて該画像データから前記所定領域を抽出する領域抽出部を備えたことを特徴としたものである。
【００２５】
第１４の技術手段は、第１〜第１３のいずれか１の技術手段において、前記第１の解像度処理回路は、前記画像データの解像度を画素値のフレーム内複写処理により解像度変換するＮ（Ｎ≧２）倍スケーラであり、前記第２の解像度処理回路は、前記画像データの解像度を画素値のフレーム内補間処理またはフレーム間補間処理により解像度変換する高解像度処理回路であることを特徴としたものである。
【発明の効果】
【００２６】
本発明によれば、ユーザが注目する所定の領域については画素値補間処理による高度な解像度変換を行い、そうでない領域については画素値複写処理による簡易な解像度変換を行うことにより、映像を高解像度化して表示する際に、ユーザが注目する領域の画質を損なうことなく、消費電力を低減することができる。
【図面の簡単な説明】
【００２７】
【図１】本発明の第１の実施形態に係る表示装置の要部構成例を示すブロック図である。
【図２】Ｎ倍スケーラの処理例について説明するための図である。
【図３】Ｎ倍スケーラ及び第１のフレームメモリの構成例を示す図である。
【図４】行デコーダ及び列デコーダがＮ倍スケーラとして動作する仕組みを説明するための図である。
【図５】図１に示した領域抽出部の動作例について説明するための図である。
【図６】領域抽出部の具体的な構成例を示すブロック図である。
【図７】近距離領域にいるユーザの動きを模式的に示した図である。
【図８】図７のユーザの動きに応じて、画面上の注目領域が変化するときの状態を説明するための図である。
【図９】本発明による表示装置の動作例を説明するためのフロー図である。
【図１０】画面上におけるユーザの注目領域を抽出する方法の一例を説明するための図である。
【図１１】図１０に示す“領域６”を含む高解像度処理領域の一例を示す図である。
【図１２】図１１に示す高解像度処理領域のアドレス変換処理の一例を説明するための図である。
【図１３】本発明の第２の実施形態に係る表示装置の要部構成例を示すブロック図である。
【図１４】図１３に示した解像度変換モード切替部の動作例について説明するための図である。
【図１５】本発明の第３の実施形態に係る表示装置の要部構成例を示すブロック図である。
【図１６】図１５のコンテンツ連動領域抽出部による高解像度処理領域の設定例を示す図である。
【図１７】従来の液晶テレビ装置の構成を示すブロック図である。
【図１８】従来の高解像度対応液晶テレビ装置の構成を示すブロック図である。
【発明を実施するための形態】
【００２８】
以下、添付図面を参照することにより、本発明の表示装置に係る好適な実施の形態について説明する。
【００２９】
（第１の実施形態）
図１は、本発明の第１の実施形態に係る表示装置の要部構成例を示すブロック図で、図中、１は表示装置を示す。表示装置１は、例えば、液晶テレビ装置として例示され、アンテナ２を介してデジタル放送信号を受信するデジタルチューナ３と、外部記録媒体Ｒ（ＨＤＤ，ＢＤ，ＤＶＤなど）に記録されているコンテンツをＨＤＭＩ入力するＨＤＭＩ入力処理回路４と、デジタルチューナ３あるいはＨＤＭＩ入力処理回路４からの出力信号を表示可能な映像信号に変換する映像信号処理回路５と、映像信号処理回路５に接続する第１のフレームメモリ６と、Ｎ（Ｎ≧２）倍スケーラ７と、高解像度処理回路８と、高解像度処理回路８に接続する第２のフレームメモリ９と、ユーザの注目する領域を抽出する領域抽出部１０と、高解像度液晶パネル１２のソースドライバ１２ａ及びゲートドライバ１２ｂを制御する液晶コントローラ１１と、液晶コントローラ１１により制御されるソースドライバ１２ａ及びゲートドライバ１２ｂの動作に従って映像信号を表示する高解像度液晶パネル１２とを備える。すなわち、図１の装置構成は、図１４の装置構成に、Ｎ倍スケーラ７と、領域抽出部１０とを追加したものである。
【００３０】
本発明の主たる目的は、映像を高解像度化して表示する際に、ユーザが注目する領域の画質を損なうことなく、消費電力を低減することにある。このための構成として、表示装置１は、画像データの解像度を変換する第１の解像度処理回路と、第１の解像度処理回路とは解像度変換方法が異なり且つ第１の解像度処理回路よりも解像度変換に係る処理負荷が大きい第２の解像度処理回路とを備え、画像データの所定領域に対して第２の解像度処理回路により解像度変換を行い、その所定領域以外の領域に対して第１の解像度処理回路により解像度変換を行う。ここでいう所定領域としては、例えば、画像データの中央領域などを予め指定おくことができる。
【００３１】
以下では、本発明による第１の解像度処理回路の一例としてＮ倍スケーラ７、第２の解像度処理回路の一例として高解像度処理回路８を挙げて、フルハイビジョン画像データ（１９２０画素×１０８０画素）を４ｋ２ｋ画像データ（３８４０画素×２１６０画素）に変換する場合を例示して説明する。この場合、Ｎ倍スケーラ７のＮは、Ｎ＝４となる。つまり、この“Ｎ”は、入力画像の画素数をＮ倍の画素数に変換することを意味する。また、高解像度液晶パネル１２は、４ｋ２ｋ画像を表示可能な液晶パネルであり、本発明の表示パネルに相当する。
【００３２】
なお、Ｎ倍スケーラ７は、画像データの解像度を画素値のフレーム内複写処理により解像度変換するもので、例えば、最近隣法、最近傍法なども含まれる。この方法は、アルゴリズムが単純であるため、解像度変換に係る処理負荷が小さく（消費電力小）、処理を高速に行えるが、その反面、画素値を複写処理するだけの簡易的な処理であるため、変換画像がギザギザしたモザイク状に劣化する場合がある。一方、高解像度処理回路８は、画像データの解像度を画素値のフレーム内補間処理またはフレーム間補間処理により解像度変換するもので、フレーム内補間処理としては、例えば、線形補間法、３次元畳み込み補間法、ファジー推論を用いた補間法などが用いられ、フレーム間補間処理としては、例えば、複数フレームを用いた超解像度処理（以下、超解像度処理法という）などが用いられる。これらの方法は、Ｎ倍スケーラ７と比べアルゴリズムが複雑であるため、解像度変換に係る処理負荷が大きく（消費電力大）、処理に時間がかかるが、その反面、変換画像は高画質となる。
【００３３】
上記において、線形補間法とは、直線で結んだ原画素間の画素値を線形とみなし、補間画素を囲む４つの原画素の画素値を用いて補間画素の画素値を求める方法である。つまり、二次元線形補間の場合、補間画素の周辺４点の原画素を用い、周辺４点の画素値の平均から補間画素の画素値を求める。このため平滑化の効果が期待でき、最近隣法等よりも自然な変換画像を得ることができる。また、この方法は、アルゴリズムが３次元畳み込み補間法よりも簡単であるため、比較的利用されている処理である。
【００３４】
なお、線形補間法では原画素間を直線で結んで補間画素の画素値を推定するため画像全体がぼけやすい。そこで、推定する補間画素の画素値を、周囲何点（例えば１６点）かの原画素の画素値と、３次畳み込み関数（すなわち、３次近似した関数ｓｉｎｃ（ｔ）＝ｓｉｎ（πｔ）／πｔ）とを用いて求める方法が３次元畳み込み補間法である。この方法によれば、ｓｉｎｃ関数によって、エッジ部などで鮮鋭化などの効果が期待でき、線形補間法よりも高画質な変換画像を得ることができるが、線形補間と比べてアルゴリズムが複雑なため、最も処理時間がかかる。所定のＣＰＵ（Pentium-II,366MHz：登録商標）を用いて同じ画像データを処理した場合、最近隣補間法の処理時間を１とすれば、線形補間法で約３倍、３次元畳み込み補間法で約６０倍の処理時間となる。
【００３５】
また、ファジー推論を用いた補間法とは、線形補間に代表される従来の補間法を拡張し、高周波成分を補間画素の周辺の原画素よりファジー推論を用いて推定することで、アーティファクトの影響をなくし、高周波成分の推定を行う方法である。
【００３６】
さらに、複数の画像（フレーム）を用いた超解像度処理法では、大きく分けて、複数の画像から特徴点を抽出し個々の画像で抽出された特徴点同士をマッチングさせて位置を合わせる運動推定処理と、個々の画像を統合して高解像度画像を生成する再構成処理と、画像のぼやけを改善してノイズを削除する鮮明化処理という３段階の処理が必要とされるが、変換画像は上記の補間方法の中で最も高画質となる。しかしながら、運動推定処理などでフレーム間での演算処理が必要となるため、演算量は上記の補間方法の中で最も大きくなる。
【００３７】
図１において、まず、映像信号処理回路５で生成されたフルハイビジョン画像データは、Ｎ倍スケーラ７と高解像度処理回路８とに入力される。映像信号処理回路５では、Ｎ倍スケーラ７、高解像度処理回路８に対して、それぞれが処理すべき領域の情報（領域情報）を出力する。この領域情報としては、例えば、予め定められた所定領域とそれ以外の領域とを指定するための情報、あるいは、領域抽出部１０で抽出された所定領域とそれ以外の領域とを指定するための情報であってもよい。Ｎ倍スケーラ７では、フルハイビジョン画像データの１画素を、４ｋ２ｋ映像の４画素分に変換するが、ここでは同じ画素値を複写することで変換を行う。また、高解像度処理回路８では、例えば、公知のキュービックコンボリューション補間法（３次元畳み込み補間法）などを用いて画素値を補間することで変換を行う。従って、Ｎ倍スケーラ７と高解像度処理回路８とでは、高解像度処理回路８による変換処理のほうが相対的に高画質と言える。
【００３８】
上記において、高解像度処理回路８は、映像信号処理回路５からの領域情報に従って、画像データの所定領域（例えば、中央領域など）に対して変換処理を行い、Ｎ倍スケーラ７は、映像信号処理回路５からの領域情報に従って、画像データの所定領域以外の領域に対して変換処理を行う。そして、高解像度処理回路８及びＮ倍スケーラ７で解像度変換された後の画素値データが液晶コントローラ１１に入力される。液晶コントローラ１１は、入力された画素値データに従って、ソースドライバ１２ａ及びゲートドライバ１２ｂを動作させる。高解像度液晶パネル１２は、これらソースドライバ１２ａ及びゲートドライバ１２ｂの動作に従って、高解像度処理回路８及びＮ倍スケーラ７で解像度変換された画像データを表示する。
【００３９】
図２は、Ｎ倍スケーラ７の処理例について説明するための図で、図中、２１は変換前のフルハイビジョン画像データ、２２は変換後の４ｋ２ｋ画像データを示す。変換前のフルハイビジョン画像データ２１は第１のフレームメモリ６に格納されている。Ｎ倍スケーラ７は、第１のフレームメモリ６からデータ（画素値）を読み出す際にアドレス変換を行って同じデータを４回読み出すことで解像度変換を行う。例えば、第１のフレームメモリ６のアドレスを（横、縦）で表した場合、アドレス（Ｎ，Ｍ）にある画素ｐの値は、アドレス（２Ｎ，２Ｍ）の画素ｐ１、アドレス（２Ｎ＋１，２Ｍ）の画素ｐ２、アドレス（２Ｎ，２Ｍ＋１）の画素ｐ３、アドレス（２Ｎ＋１，２Ｍ＋１）の画素ｐ４に複写される。
【００４０】
図３は、Ｎ倍スケーラ７及び第１のフレームメモリ６の構成例を示す図で、図中、３１ａ，ｂは列デコーダ、３２ａ，ｂは行デコーダ、３３はメモリセルアレイを示す。第１のフレームメモリ６をデュアルポートメモリとして構成し、フルハイビジョン映像を書き込む際のアドレスデータａを、行デコーダ３２ａ及び列デコーダ３１ａでデコードし、デコードしたデータをメモリセルアレイ３３に書き込む。一方、４ｋ２ｋ映像を読み出す際には、アドレスデータｂを、行デコーダ３２ｂ及び列デコーダ３１ｂでデコードし、対応するデータをメモリセルアレイ３３から読み出す。このように、４ｋ２ｋ映像を読み出すための行デコーダ３２ｂ及び列デコーダ３１ｂがＮ倍スケーラ７として動作する。
【００４１】
図４は、行デコーダ３２ｂ及び列デコーダ３１ｂがＮ倍スケーラ７として動作する仕組みを説明するための図である。フルハイビジョン（ＦＨＤ）画像データは、アドレスデータａを、上位ビット列Ｎと、下位ビット列Ｍとに分離した形で各デコーダ（行デコーダ３２ａ及び列デコーダ３１ａ）に入力され、各デコーダによりメモリセルアレイ３３に書き込まれる。次に、４ｋ２ｋ画像データを読み出す場合、アドレスデータｂを用いてアクセスする。このアドレスデータｂは、上位ビット列Ｐと、下位ビット列Ｑとに分離されるが、上位ビット列Ｐは、アドレスデータａにおける上位ビット列Ｎを上位に１ビットシフトさせているため、最下位ビットが“０”または“１”となるデータと解釈することができる。また同様に、下位ビット列Ｑは、アドレスデータａにおける下位ビット列Ｍを上位に１ビットシフトさせているため、最下位ビットが“０”または“１”となるデータと解釈することができる。
【００４２】
つまり、上記のビット列Ｐ，Ｑの最下位ビットをマスクし、上位ビットのみを行デコーダ３２ｂ及び列デコーダ３１ｂに入力すれば、４ｋ２ｋ画像データのアドレス（２Ｎ，２Ｍ）、（２Ｎ＋１，２Ｍ）、（２Ｎ，２Ｍ＋１）、（２Ｎ＋１，２Ｍ＋１）に対して、第１のフレームメモリ６のアドレス（Ｎ，Ｍ）に記録されたフルハイビジョン画像データの画素値を読み出すことができる。
【００４３】
また、高解像度処理回路８は、前段の映像信号処理回路５で生成したフルハイビジョン画像データ（１９２０画素×１０８０画素）のうち、ユーザが注目する例えば中央領域の９６０画素×５４０画素を、４倍の解像度（１９２０画素×１０８０画素）に変換する。この場合、高解像度処理回路８で必要となる第２のフレームメモリ９のメモリ容量は、映像信号処理回路５に接続された第１のフレームメモリ６のメモリ容量と同じで済むため、ユーザが注目する領域の画質を損なうことなく、メモリ容量を削減することができる。また、画像データのうちユーザが注目する所定領域にのみ高解像度処理を行うため、画像データ全体に対して高解像度処理を行う場合と比べて、信号遷移回数を減らすことができ、消費電力の増加を抑制することができる。なお、ここでいう高解像度処理としては、例えば、前述のキュービックコンボリューション補間法などを用いることができるが、線形補間法、超解像度処理法、あるいは、ファジー推論を用いた補間法などを用いてもよい。
【００４４】
図５は、図１に示した領域抽出部１０の動作例について説明するための図で、図中、１０１ａは遠距離センサ、１０１ｂは近距離センサ、４１は近距離領域、４２は遠距離領域、４３は範囲外領域を示す。本例の場合、高解像度液晶パネル１２からの距離を３つの領域、すなわち、第１の所定値以上を範囲外領域４３、第１の所定値未満で且つ第２の所定値以上を遠距離領域４２、第２の所定値未満を近距離領域４１として区別する。領域抽出部１０は、表示装置１の高解像度液晶パネル１２とユーザとの距離に応じて画像データから所定領域を抽出する。領域抽出部１０の具体的な構成については、後述の図６で説明するが、遠距離センサ１０１ａは第１の所定値未満で且つ第２の所定値以上の範囲にいるユーザを検出し、近距離センサ１０１ｂは第２の所定値未満の範囲にいるユーザを検出する。第１の所定値及び第２の所定値は、各センサの検知範囲によって適宜決定される。また、これらのセンサとしては、例えば、赤外線センサや超音波センサなどが好適である。
【００４５】
領域抽出部１０は、高解像度液晶パネル１２とユーザとの距離が第１の所定値以上（範囲外領域４３）の場合、画像データから高解像度処理を行う所定領域を抽出しない。例えば、画像データの所定領域を抽出する処理を停止させる。この場合、高解像度処理回路８による解像度変換は行わず、画像データの全領域に対してＮ倍スケーラ７による解像度変換のみを行う。これは、ユーザが遠距離センサ１０１ａの検知範囲にいない場合を想定している。つまり、ユーザが高解像度液晶パネル１２から遠く離れている場合には、高解像度処理回路８により解像度変換された画像と、Ｎ倍スケーラ７により解像度変換された画像とで見た目の画質に大きな違いはないと考えられる。このため、全画像領域に対してより簡易なＮ倍スケーラ７による処理を行っても、ユーザは見た目での画質の劣化を感じることがない。
【００４６】
また、領域抽出部１０は、高解像度液晶パネル１２とユーザとの距離が第１の所定値未満で且つ第２の所定値以上（遠距離領域４２）の場合、画像データの所定領域として、画像データの中央領域を抽出する。この場合、抽出した中央領域に対して高解像度処理回路８による解像度変換を行い、中央領域以外の領域に対してＮ倍スケーラ７による解像度変換を行う。これは、ユーザが遠距離センサ１０１ａの検知範囲内にいて、且つ、近距離センサ１０１ｂの検知範囲外にいる場合を想定している。つまり、ユーザが高解像度液晶パネル１２から適度に離れた距離にいる場合、画面の中央部分に注目していると考えられる。このため、画像の中央領域にのみ高解像度処理回路８による処理を行うことで、ユーザが画質の劣化を感じることがないようにしている。
【００４７】
また、領域抽出部１０は、高解像度液晶パネル１２とユーザとの距離が第２の所定値未満の場合、画像データの所定領域として、画像データ上でユーザが注目する注目領域を抽出する。この場合、抽出した注目領域に対して高解像度処理回路８による解像度変換を行い、注目領域以外の領域に対してＮ倍スケーラ７による解像度変換を行う。これは、ユーザが近距離センサ１０１ｂ（及び遠距離センサ１０１ａ）の検知範囲内にいる場合を想定している。つまり、ユーザが高解像度液晶パネル１２に近い距離にいる場合、必ずしもユーザが画面中央部分に注目しているとは限らないと考えられる。このため、ユーザが注目している領域を抽出し、その注目領域にのみ高解像度処理回路８による処理を行うことで、ユーザが画質の劣化を感じることがないようにしている。
【００４８】
上記において、ユーザが注目する注目領域を抽出する方法の具体例としては、領域抽出部１０が、ユーザを撮影するカメラを備えるようにすればよい。すなわち、近距離センサ１０１ｂでユーザを検出した場合、カメラで撮影した撮影データからユーザの顔の位置を特定し、特定したユーザの顔の位置に基づいて、画像データ上でユーザが注目する注目領域を抽出する。
【００４９】
図６は、領域抽出部１０の具体的な構成例を示すブロック図である。この領域抽出部１０は、遠距離センサ１０１ａ、近距離センサ１０１ｂ、演算器１０２ａ〜１０２ｃ、カメラ１０３、顔認識処理部１０４、顔位置特定部１０５、フレームメモリアドレス変換部１０６を備える。遠距離センサ１０１ａ及び近距離センサ１０１ｂの構成については図５で説明した通りである。すなわち、遠距離センサ１０１ａと近距離センサ１０１ｂの両方共に出力が検知されない場合、演算器１０２ａからの指示により、高解像度処理回路８による解像度変換は行わず、全画像領域に対してＮ倍スケーラ７による解像度変換を行う。
【００５０】
また、遠距離センサ１０１ａの出力のみが検知され、近距離センサ１０１ｂの出力が検知されない場合、演算器１０２ｂからの指示により、フレームメモリアドレス変換部１０６が所定の画像中央領域についてアドレス変換を行い、画像中央領域に対してのみ高解像度処理回路８による解像度変換を行う。なお、画像中央領域以外の領域に対してはＮ倍スケーラ７による解像度変換が行われる。
【００５１】
また、遠距離センサ１０１ａと近距離センサ１０１ｂの両方共に出力が検知された場合、演算器１０２ｃからの指示により、カメラ１０３を動作させ、カメラ１０３が表示装置１の前方にいるユーザを撮影する。そして、顔認識処理部１０４はカメラ１０３で取り込んだ撮影データからユーザの顔を認識する。ユーザの顔を認識する技術としては、従来公知の方法を用いることができ、その方法自体を特に限定するものではない。また、顔位置特定部１０５は顔認識処理部１０４で認識したユーザの顔の位置を特定する。具体的には、高解像度液晶パネル１２の画面に対して、ユーザの顔がどの位置（正面、右側、左側、上側、下側など）にあるのかを特定する。例えば、カメラ１０３で取り込んだ撮影データ上でユーザの顔の位置を示す座標を検出し、この座標位置に基づいて、ユーザが注目している画面領域を推定することが考えられる。
【００５２】
図７は、近距離領域にいるユーザの動きを模式的に示した図である。近距離領域内にいるユーザ５１が矢印の方向に動いた後の状態をユーザ５１′として示す。表示装置１は、近距離領域にいるユーザ５１の動きをカメラ１０３で撮影しており、カメラ１０３で撮影されるユーザ５１の顔の位置に応じて、画面上の注目領域が変化する。
【００５３】
図８は、図７のユーザ５１の動きに応じて、画面上の注目領域が変化するときの状態を説明するための図で、図中、５２，５２′は注目領域を示す。図７に示すようにユーザ５１が動いた場合、ユーザの顔の位置が変化するため、これに応じて、画面上の注目領域５２も変化する。ユーザの顔の位置は、カメラ１０３で撮影した撮影データに対して顔認識を行うことで特定することができる。本例の場合、ユーザ５１′を撮影した撮影データに基づいて、注目領域５２′が推定される。
【００５４】
図９は、本発明による表示装置１の動作例を説明するためのフロー図である。まず、表示装置１は、遠距離センサ１０１ａでユーザを検知したか否かを判定し（ステップＳ１）、遠距離センサ１０１ａでユーザを検知しないと判定した場合（ＮＯの場合）、全画像領域に対してＮ倍スケーラ７による解像度変換処理を行う（ステップＳ２）。また、ステップＳ１において、遠距離センサ１０１ａでユーザを検知したと判定した場合（ＹＥＳの場合）、近距離センサ１０１ｂでユーザを検知したか否かを判定する（ステップＳ３）。
【００５５】
そして、表示装置１は、ステップＳ３において、近距離センサ１０１ｂでユーザを検知しないと判定した場合（ＮＯの場合）、画像中央領域のアドレス変換処理を行い（ステップＳ４）、画像中央領域に対して高解像度処理回路８による解像度変換処理を行う（ステップＳ８）。なお、画像中央領域以外の領域に対してはＮ倍スケーラ７により解像度変換処理が行われる。また、表示装置１は、ステップＳ３において、近距離センサ１０１ｂでユーザを検知したと判定した場合（ＹＥＳの場合）、カメラ１０３で撮影された撮影データに対してユーザの顔認識処理を行う（ステップＳ５）。
【００５６】
そして、表示装置１は、画面上の領域Ｎでユーザの顔を認識したか否かを判定し（ステップＳ６）、画面上の領域Ｎでユーザの顔が認識されない場合（ＮＯの場合）、ステップＳ４に移行する。また、ステップＳ６において、画面上の領域Ｎでユーザの顔が認識された場合（ＹＥＳの場合）、画面上の領域Ｎに対応する画像領域についてアドレス変換処理を行い（ステップＳ７）、画面上の領域Ｎの画像領域に対して高解像度処理回路８による解像度変換を行う（ステップＳ８）。なお、画面上の領域Ｎの画像領域以外の領域に対してはＮ倍スケーラ７により解像度変換処理が行われる。
【００５７】
図１０は、画面上におけるユーザの注目領域を抽出する方法の一例を説明するための図である。本例では、高解像度液晶パネル１２の画面領域を、“領域１”から“領域９”の９つの領域に分割している。また、カメラ１０３として、両眼カメラを図示しているが、単眼あるいは３眼以上のカメラを設けるようにしてもよい。表示装置１は、カメラ１０３により表示装置１の前方にいるユーザを撮影し、撮影した撮影データからユーザの顔を認識する処理を行う。すなわち、近距離センサ（図示せず）でユーザが近距離領域にいることを検知した場合、カメラ１０３が動作し、カメラ１０３で撮影した撮影データよりユーザの顔が画面上のどの領域に位置しているかを判定する。
【００５８】
例えば、カメラ１０３で撮影されたユーザの顔が撮影データの左側中央付近に検出された場合、このユーザは、表示装置１に向かって画面右側中央（表示装置１から見ると画面左側中央）を見ていると推定される。このため、ユーザの注目領域５３は、“領域６”と特定される。このため、“領域６”を含む領域を高解像度処理領域として、高解像度処理回路８による解像度変換処理を行う。
【００５９】
図１１は、図１０に示す“領域６”を含む高解像度処理領域の一例を示す図で、図中、５４は高解像度処理領域を示す。高解像度処理回路８は、第１のフレームメモリ６から高解像度処理領域５４に相当するデータを読み出す必要がある。このため、“領域１”から“領域９”をそれぞれ包含する高解像度処理領域に対して、それぞれの領域を指定した場合の第１のフレームメモリ６のアドレスを予めテーブル化しておき、領域指定と同時に所望のアドレスでデータを読み出すようにする。このときの処理をアドレス変換処理という。
【００６０】
図１２は、図１１に示す高解像度処理領域５４のアドレス変換処理の一例を説明するための図で、図中、１３はアドレステーブルを示す。このように、アドレステーブル１３には、“領域１”から“領域９”をそれぞれ含む高解像度処理領域に対して、第１のフレームメモリ６のメモリセルアレイ３３の読み出し領域のアドレスを対応付けて予め記憶しておく。図１２の例では、“領域６”を含む高解像度処理領域５４（図１１）に対する読み出し領域３４のアドレスの例を示している。
【００６１】
図１２において、領域抽出部１０は、近距離領域内にいるユーザの顔位置情報を取得すると、これに応じて、画面上でユーザが注目する注目領域（ここでは“領域６”）を特定する。そして、この“領域６”に基づきアドレステーブル１３を参照し、“領域６”を含む高解像度処理領域５４（図１１）に対応する読み出し領域３４のアドレスを特定する。なお、アドレステーブル１３は、図６に示したフレームメモリアドレス変換部１０６の一機能として実現される。そして、領域抽出部１０は、アドレステーブル１３で特定した読み出し領域３４のアドレスに従って、第１のフレームメモリ６のメモリセルアレイ３３からデータを読み出す。このようにしてアドレス変換処理が行われる。
【００６２】
ここで、複数のユーザが近距離領域内にいる場合には、複数の注目領域が検出されてしまうことが想定される。この場合、複数領域が高解像度処理回路８による解像度変換の対象となり、消費電力の低減という観点からは望ましくない。このため、近距離領域内で複数ユーザが検知された場合には、共通の注目領域として、中央部分のみを高解像度処理回路８による解像度変換処理の対象としてもよい。
【００６３】
（第２の実施形態）
図１３は、本発明の第２の実施形態に係る表示装置の要部構成例を示すブロック図である。本実施形態では、第１の実施形態における領域抽出部１０の代わりに解像度変換モード切替部１４を備える。この解像度変換モード切替部１４は、高解像度液晶パネル１２とユーザとの距離に応じて複数の解像度変換モードを切り替えるものである。複数の解像度変換モードは、画像データの全領域に対してＮ倍スケーラ７により解像度変換を行う第１の解像度変換モードと、画像データの所定領域に対して高解像度処理回路８により解像度変換を行うと共に、所定領域以外の領域に対してＮ倍スケーラ７により解像度変換を行う第２の解像度変換モードと、画像データの全領域に対して高解像度処理回路８により解像度変換を行う第３の解像度変換モードとを含む。
【００６４】
図１４は、図１３に示した解像度変換モード切替部１４の動作例について説明するための図である。前述の図５の場合と同様に、解像度変換モード切替部１４は、第１の所定値未満で且つ第２の所定値以上の範囲にいるユーザを検出するための遠距離センサ１０１ａと、第２の所定値未満の範囲にいるユーザを検出するための近距離センサ１０１ｂとを備える。ここで、第１の所定値以上の領域を範囲外領域、第１の所定値未満で且つ第２の所定値以上の領域を遠距離領域、第２の所定値未満の領域を近距離領域として区別する。第１の所定値及び第２の所定値は、各センサの検知範囲によって適宜決定される。また、これらのセンサとしては、例えば、赤外線センサや超音波センサなどを適用することができる。
【００６５】
解像度変換モード切替部１４は、高解像度液晶パネル１２とユーザとの距離が第１の所定値以上（範囲外領域）の場合、第１の解像度変換モードに切り替える。第１の解像度変換モードでは、例えば、画像データの所定領域を抽出する処理を停止させる。この場合、高解像度処理回路８による解像度変換は行わず、画像データの全領域に対してＮ倍スケーラ７による解像度変換のみを行う。これは、ユーザが遠距離センサ１０１ａの検知範囲にいない場合を想定している。つまり、ユーザが高解像度液晶パネル１２から遠く離れている場合には、高解像度処理回路８により解像度変換された画像と、Ｎ倍スケーラ７により解像度変換された画像とで見た目の画質に大きな違いはないと考えられる。このため、全画像領域に対してより簡易なＮ倍スケーラ７による処理を行っても、ユーザは見た目での画質の劣化を感じることがない。
【００６６】
また、解像度変換モード切替部１４は、高解像度液晶パネル１２とユーザとの距離が第１の所定値未満で且つ第２の所定値以上（遠距離領域）の場合、第２の解像度変換モードに切り替える。第２の解像度変換モードでは、画像データの所定領域として、画像データの例えば中央領域を抽出する。この場合、抽出した中央領域に対して高解像度処理回路８による解像度変換を行い、中央領域以外の領域に対してＮ倍スケーラ７による解像度変換を行う。これは、ユーザが遠距離センサ１０１ａの検知範囲内にいて、且つ、近距離センサ１０１ｂの検知範囲外にいる場合を想定している。つまり、ユーザが高解像度液晶パネル１２から適度に離れた距離にいる場合、画面の中央部分に注目していると考えられる。このため、画像の中央領域にのみ高解像度処理回路８による処理を行うことで、ユーザが画質の劣化を感じることがないようにしている。
【００６７】
また、解像度変換モード切替部１４は、高解像度液晶パネル１２とユーザとの距離が第２の所定値未満（近距離領域）の場合、第３の解像度変換モードに切り替える。第３の解像度変換モードでは、画像データの所定領域として、画像データの全領域を抽出する。この場合、抽出した全画像領域に対して高解像度処理回路８による解像度変換を行う。これは、ユーザが近距離センサ１０１ｂ（及び遠距離センサ１０１ａ）の検知範囲内にいる場合を想定している。つまり、ユーザが高解像度液晶パネル１２に近い距離にいる場合、必ずしもユーザが画面中央部分に注目しているとは限らず、また、ユーザは画面との距離が近いため画面内の画質の差をより認識し易いと考えられる。このため、ユーザが画面内のどの領域を見ても画質の劣化を感じることがないように、全画像領域に対して高解像度処理回路８による処理を行う。
【００６８】
このように、本実施形態によれば、画面とユーザとの距離に応じて解像度変換モードを切り替えて、画像データのうちユーザが注目する所定領域にのみ選択的に高解像度処理を行うことができるため、画像データ全体に対して高解像度処理を行う場合と比べて、信号遷移回数を減らすことができ、消費電力の増加を抑制することができる。
【００６９】
（第３の実施形態）
図１５は、本発明の第３の実施形態に係る表示装置の要部構成例を示すブロック図である。本実施形態では、第１の実施形態における領域抽出部１０の代わりにコンテンツ連動領域抽出部１５を備える。このコンテンツ連動領域抽出部１５は、画像データのコンテンツの内容に応じて画像データから所定領域（すなわち、高解像度処理領域）を抽出するものである。コンテンツ連動領域抽出部１５には、デジタルチューナ３またはＨＤＭＩ入力処理回路４からコンテンツ情報が入力される。コンテンツ情報とは、画像データのコンテンツの内容を示す情報であり、例えば、デジタル放送番組に付随する番組情報から取得されるジャンル情報などが挙げられる。このジャンル情報によれば、番組コンテンツの大ジャンルとして、“スポーツ”、“ニュース”、“ドラマ”、“バラエティー”、などを判別でき、さらに、番組コンテンツの小ジャンルとして、例えば、“スポーツ”の中の、“サッカー”、“ラグビー”、“テニス”、“卓球”などの競技の種類を判別することもできる。
【００７０】
図１６は、図１５のコンテンツ連動領域抽出部１５による高解像度処理領域の設定例を示す図である。図１６（Ａ）の例では、大ジャンルが“スポーツ”で、小ジャンルが“サッカー”または“ラグビー”である場合に、コンテンツ連動領域抽出部１５は、画像データの所定領域として、画像データの下半分の領域を横に長い矩形状に抽出する（これを領域６１で示す）。つまり、サッカーやラグビーなどのフィールド競技では、概ね画面下半分の横長矩形領域に競技者がいる場合が多いと考えられるため、画面下半分の領域６１を高解像度処理領域としている。なお、コンテンツの内容と抽出すべき高解像度領域とは予めデータテーブルとして対応付けておき、図示しないメモリに格納しておく。そして、抽出された領域６１は高解像度処理回路８により解像度変換され、領域６１以外の他の領域についてはＮ倍スケーラ７により解像度変換される。
【００７１】
図１６（Ｂ）の例では、大ジャンルが“スポーツ”で、小ジャンルが“テニス”または“卓球”である場合に、コンテンツ連動領域抽出部１５は、画像データの所定領域として、画像データの中央部分の領域を縦に長い台形状に抽出する（これを領域６２で示す）。つまり、テニスや卓球などのコート競技では、概ね画面中央部分の縦長台形領域に競技者がいる場合が多いと考えられるため、画面中央部分の領域６２を高解像度処理領域としている。そして、抽出された領域６２は高解像度処理回路８により解像度変換され、領域６２以外の他の領域についてはＮ倍スケーラ７により解像度変換される。
【００７２】
図１６（Ｃ）の例では、大ジャンルが“ニュース”である場合、コンテンツ連動領域抽出部１５は、画像データの所定領域として、画像データの中央部分の領域を四角形状に抽出する（これを領域６３で示す）。つまり、ニュース番組では、概ね画面中央部分の四角形領域にニュース内容が表示される場合が多いと考えられるため、画面中央部分の領域６３を高解像度処理領域としている。そして、抽出された領域６３は高解像度処理回路８により解像度変換され、領域６３以外の他の領域についてはＮ倍スケーラ７により解像度変換される。
【００７３】
図１６（Ｄ）の例では、大ジャンルが“ドラマ”または“バラエティー”である場合、コンテンツ連動領域抽出部１５は、画像データの所定領域として、画像データの中央部分の領域を円形状に抽出する（これを領域６４で示す）。つまり、ドラマやバラエティー番組では、概ね画面中央部分の円形領域に主演者がいる場合が多いと考えられるため、画面中央部分の領域６４を高解像度処理領域としている。そして、抽出された領域６４は高解像度処理回路８により解像度変換され、領域６４以外の他の領域についてはＮ倍スケーラ７により解像度変換される。
【００７４】
このように、本実施形態によれば、画像データのコンテンツの内容に応じてユーザが注目する所定領域を抽出し、抽出した所定領域にのみ選択的に高解像度処理を行うことができるため、画像データ全体に対して高解像度処理を行う場合と比べて、信号遷移回数を減らすことができ、消費電力の増加を抑制することができる。
【符号の説明】
【００７５】
１…表示装置、２…アンテナ、３…デジタルチューナ、４…ＨＤＭＩ入力処理回路、５…映像信号処理回路、６…第１のフレームメモリ、７…Ｎ倍スケーラ、８…高解像度処理回路、９…第２のフレームメモリ、１０…領域抽出部、１１…液晶コントローラ、１２…高解像度液晶パネル、１２ａ…ソースドライバ、１２ｂ…ゲートドライバ、１３…アドレステーブル、１４…解像度変換モード切替部、１５…コンテンツ連動領域抽出部、１０１ａ…遠距離センサ、１０１ｂ…近距離センサ、１０２ａ〜１０２ｃ…演算器、１０３…カメラ、１０４…顔認識処理部、１０５…顔位置特定部、１０６…フレームメモリアドレス変換部。
【図１】
2014077993.tif 000003
【図２】
2014077993.tif 000004
【図３】
2014077993.tif 000005
【図４】
2014077993.tif 000006
【図５】
2014077993.tif 000007
【図６】
2014077993.tif 000008
【図７】
2014077993.tif 000009
【図８】
2014077993.tif 000010
【図９】
2014077993.tif 000011
【図１０】
2014077993.tif 000012
【図１１】
2014077993.tif 000013
【図１２】
2014077993.tif 000014
【図１３】
2014077993.tif 000015
【図１４】
2014077993.tif 000016
【図１５】
2014077993.tif 000017
【図１６】
2014077993.tif 000018
【図１７】
2014077993.tif 000019
【図１８】
2014077993.tif 000020